(57)【要約】【課題】照明制御システムにおいて、停電からの電源復旧時において、より正確に停電前の照明器具の調光状態を再現する。【解決手段】制御ユニット２は、制御開始要求を照明器具４に送信し（Ｓ３３）、照明器具４は、この制御開始要求に基づいて調光制御を開始すると制御開始完了通知を制御ユニット２に送信する（Ｓ３５）。また、制御ユニット２は、制御停止要求を照明器具４に送信し（Ｓ３６）、照明器具４は、この制御停止要求に基づいて調光制御を停止すると制御停止完了通知を制御ユニット２に送信する（Ｓ４０）。制御ユニット２は、当該制御停止完了通知の状態を照明器具４の最終制御状態として記録し、停電からの電源復旧時には、この最終制御状態に基づいた再現信号を照明器具４に送信する（Ｓ４１）。この構成により、照明制御システムでは、停電からの電源復旧時において、より正確に停電前の照明器具４の調光状態を再現できる。【選択図】図３
2013004499.tif 000002
【特許請求の範囲】
【請求項１】
固有のアドレスが割り振られた複数の照明器具と、検出値又はユーザ操作による入力値に基づいて前記照明器具を調光制御する調光器と、前記調光器から送信される制御信号に基づいて前記照明器具を制御する制御ユニットと、を備えた照明制御システムにおいて、
前記制御ユニットは、
前記複数の照明器具のアドレスと制御状態との関係を記憶する記憶手段と、
前記調光器から制御信号を受信した場合、この制御信号に基づき、少なくとも前記照明器具のアドレス及び前記照明器具の制御状態を含む制御指令信号を生成する制御手段と、
前記調光器及び前記照明器具と信号の送受信を行う送受信手段と、を備え、
前記照明器具は、
前記制御ユニットから受信した制御指令信号に基づいて照明の調光制御を行う調光手段と、
当該制御指令信号に基づいた制御を完了した場合、当該制御の完了を示す完了通知を前記制御ユニットに返信する通信手段を備え、
前記制御手段は、前記完了通知を受信すると、その完了通知の状態を照明器具の最終制御状態として前記記憶手段に記録し、停電からの電源復旧時には、この最終制御状態に基づいた再現信号を生成し、
前記送受信手段は、前記再現信号を照明器具に送信し、
前記調光手段は、停電からの電源復旧時には前記再現信号に基づいて照明の調光制御を行う、ことを特徴とする照明制御システム。
【請求項２】
前記照明制御システムは、
前記制御ユニット及び照明器具の間において送受信される信号を中継する中継手段と、
照明器具から送信された前記完了通知を受信すると、その完了通知の状態を照明器具の最終制御状態として記憶するメモリ部とを有する伝送アダプタをさらに備え、
前記制御手段は、停電からの電源復旧時には、前記伝送アダプタのメモリ部に記憶された最終制御状態を取得し、この最終制御状態に基づいた再現信号を生成する、ことを特徴とする請求項１記載の照明制御システム。
【請求項３】
前記制御手段は、前記制御指令信号として、前記照明器具の調光制御を開始させるための制御開始信号又は調光制御を停止させるための制御停止信号を生成し、
前記制御ユニットは、
前記制御開始信号を送信してから前記制御停止信号を送信するまでの期間を計測するタイマ部と、
前記記憶手段に記憶されている照明器具の調光状態及び当該期間に基づいて、照明器具の最終制御状態を演算する演算部と、をさらに備え、
前記制御手段は、停電からの電源復旧時には、照明器具をこの最終制御状態とする再現信号を生成する、ことを特徴とする請求項１又は請求項２に記載の照明制御システム。
【請求項４】
前記タイマ部は、前記制御開始信号を送信してから停電発生までの期間を計測し、
前記演算部は、前記記憶手段に記憶された照明器具の調光状態及び当該期間に基づいて各照明器具の最終制御状態を推測し、
前記制御手段は、停電からの電源復旧時には、照明器具をこの最終制御状態とする再現信号を生成する、ことを特徴とする請求項３記載の照明制御システム。
【請求項５】
前記伝送アダプタは、
前記中継手段を介して制御ユニットから受信した前記制御開始要求を照明器具に送信してから前記制御停止要求を照明器具に送信するまでの期間を計測する第２タイマ部と、
前記メモリ部に記憶されている各照明器具の調光状態及び当該期間に基づいて、照明器具の最終制御状態を演算する第２演算部と、をさらに備え、
前記制御手段は、停電からの電源復旧時には、前記伝送アダプタから当該最終制御状態を取得し、照明器具をこの最終制御状態とする再現信号を生成する、ことを特徴とする請求項２記載の照明制御システム。
【請求項６】
前記第２タイマ部は、前記制御開始信号を送信してから停電発生までの期間を計測し、
前記第２演算部は、前記メモリ部に記憶された照明器具の調光状態及び当該期間に基づいて照明器具の最終制御状態を推測し前記メモリ部に記録する、ことを特徴とする請求項５記載の照明制御システム。
【請求項７】
前記制御ユニットの送受信手段は、照明器具の調光率の変化量を示す調光率変化制御要求を、所定間隔で繰り返して送信し、
前記演算部は、前記記憶手段に記憶されている調光状態、前記変化量及び前記所定間隔で繰り返し送信された調光率変化制御要求の回数に基づいて、照明器具の最終制御状態を演算し、
前記制御手段は、停電からの電源復旧時には、照明器具をこの最終制御状態とする再現信号を生成する、ことを特徴とする請求項３乃至請求項６いずれか一項に記載の照明制御システム。
【請求項８】
前記伝送アダプタの中継手段は、照明器具の調光率の変化量を示す調光率変化制御要求を、所定間隔で繰り返して照明器具に送信し、
前記第２演算部は、前記メモリ部に記憶されている調光状態、前記変化量及び前記所定間隔で繰り返し送信された調光率変化制御要求の回数に基づいて、照明器具の最終制御状態を演算し、
前記制御手段は、停電からの電源復旧時には、前記伝送アダプタから当該最終制御状態を取得して、照明器具をこの最終制御状態とする再現信号を生成する、ことを特徴とする請求項５又は請求項６に記載の照明制御システム。
【発明の詳細な説明】
【技術分野】
【０００１】
本発明は、複数の照明器具の調光状態を制御する照明制御システムに関し、特に停電からの電源復帰時において停電前の調光状態に照明器具を再現する照明制御システムに関する。
【背景技術】
【０００２】
従来より、ビルディング内などにおいて、明るさセンサや人感センサといったセンサ類と連携して複数の照明器具の調光状態を個別に、又は一括して制御できる照明制御システムが導入されている。この照明制御システムでは、外光の明るさや時間帯に応じて照明器具の照度を適切に制御できるため省エネルギー化を図ることができる。
【０００３】
この照明制御システムは、例えば、図１３に示すように、明るさセンサ１１、照明器具１４を調光制御する制御ユニット１２、制御ユニット１２から送信される制御信号を各照明器具１４に中継する伝送アダプタ１３、及び複数の照明器具１４を備える。
【０００４】
この照明制御システムの動作に関して説明すると、最初に、明るさセンサ１１が外光の明るさの変化を検知し、調光の「制御開始要求」を制御ユニット１２に送信する（Ｓ１３１）。制御ユニット１２は、受信した制御開始要求に基づく「ＬＥＤ表示指示」を示す信号を明るさセンサ１１に返信し（Ｓ１３２）、制御開始要求に含まれるアドレス情報に基づいて、「制御開始要求」を伝送アダプタ１３にマルチキャスト送信する（Ｓ１３３）。そして、信号の中継装置となる伝送アダプタ１３は、この制御開始要求を受信するとグループ内の複数の照明器具１４に対して「制御開始要求」をマルチキャスト送信し（Ｓ１３４）、制御開始要求を受信した照明器具１４は、調光制御を独自に開始（自走）する。
【０００５】
その後、明るさセンサ１１は、調光の「制御終了要求」を制御ユニット１２に送信する（Ｓ１３５）。次に、制御ユニット１２は、受信した制御停止要求に基づく「ＬＥＤ表示指示」を明るさセンサ１１に返信し（Ｓ１３６）、制御停止要求に含まれるアドレス情報などに基づいて、「制御停止要求」を複数の伝送アダプタ１３にマルチキャスト送信する（Ｓ１３７）。次に、伝送アダプタ１３は、アドレス情報に基づいて照明器具１４に「制御停止要求」を中継してマルチキャスト送信し（Ｓ１３８）、この制御停止要求を受信した照明器具１４は調光制御を停止することで照明制御システム全体の調光制御を実現する。
【０００６】
このような照明制御システムにおいて、停電が発生した場合、停電復旧後には各照明器具を停電前の制御状態である最終制御状態に再現することが望ましい。
【０００７】
そして、停電からの電源復帰時、照明負荷が停電前の状態を保持するように復帰させる手段を有する照明制御システムが知られている（例えば、特許文献１参照）。この照明制御システムでは、調光器に記憶部を設け、制御の状態を都度記憶する。停電からの復電時には、調光器は記憶部から最終的な制御状態を収集し、照明器具の調光再現処理を行うことができる。
【先行技術文献】
【特許文献】
【０００８】
【特許文献１】特開平７−１０６０７０号公報
【発明の概要】
【発明が解決しようとする課題】
【０００９】
しかしながら、上記図１３に示す照明制御システムでは、照明器具は受信した制御信号に基づいて、独自に調光制御を実施（自走）する。このような制御方式では、通信エラーが発生する場合や制御ユニットから照明器具への調光制御指令の直後に停電が発生する場合などが考えられ、各照明器具の本当の制御状態を正確に把握できないという問題がある。
【００１０】
また、上記特許文献１に示す照明制御システムにおいては、調光器に記憶部を備えて停電復旧時に制御状態を再現するとしても、制御対象となる照明器具などの状態を把握できない。すなわち、通信エラーや停電などが発生し、多数の照明器具の実際の点灯状態と、記憶部に保持された電源遮断前の制御データとが一致していない場合もあり、停電前の状態に正確に復帰させることができないという問題もある。さらに、調光器に記憶部が必要となるためシステムコストが高くなる。
【００１１】
本発明は、上記課題に鑑みてなされたものであり、停電からの電源復旧時において、より正確に停電前の照明器具の調光状態を再現することができる照明制御システムを提供することを目的とする。
【課題を解決するための手段】
【００１２】
上記目的を達成するために本発明は、固有のアドレスが割り振られた複数の照明器具と、検出値又はユーザ操作による入力値に基づいて前記照明器具を調光制御する調光器と、前記調光器から送信される制御信号に基づいて前記照明器具を制御する制御ユニットと、を備えた照明制御システムにおいて、前記制御ユニットは、前記複数の照明器具のアドレスと制御状態との関係を記憶する記憶手段と、前記調光器から制御信号を受信した場合、この制御信号に基づき、少なくとも前記照明器具のアドレス及び前記照明器具の制御状態を含む制御指令信号を生成する制御手段と、前記調光器及び前記照明器具と信号の送受信を行う送受信手段と、を備え、前記照明器具は、前記制御ユニットから受信した制御指令信号に基づいて照明の調光制御を行う調光手段と、当該制御指令信号に基づいた制御を完了した場合、当該制御の完了を示す完了通知を前記制御ユニットに返信する通信手段を備え、前記制御手段は、前記完了通知を受信すると、その完了通知の状態を照明器具の最終制御状態として前記記憶手段に記録し、停電からの電源復旧時には、この最終制御状態に基づいた再現信号を生成し、前記送受信手段は、前記再現信号を照明器具に送信し、前記調光手段は、停電からの電源復旧時には前記再現信号に基づいて照明の調光制御を行うことを特徴とするものである。
【００１３】
この照明制御システムにおいて、前記照明制御システムは、前記制御ユニット及び照明器具の間において送受信される信号を中継する中継手段と、照明器具から送信された前記完了通知を受信すると、その完了通知の状態を照明器具の最終制御状態として記憶するメモリ部とを有する伝送アダプタをさらに備え、前記制御手段は、停電からの電源復旧時には、前記伝送アダプタのメモリ部に記憶された最終制御状態を取得し、この最終制御状態に基づいた再現信号を生成することが好ましい。
【００１４】
この照明制御システムにおいて、前記制御手段は、前記制御指令信号として、前記照明器具の調光制御を開始させるための制御開始信号又は調光制御を停止させるための制御停止信号を生成し、前記制御ユニットは、前記制御開始信号を送信してから前記制御停止信号を送信するまでの期間を計測するタイマ部と、前記記憶手段に記憶されている照明器具の調光状態及び当該期間に基づいて、照明器具の最終制御状態を演算する演算部と、をさらに備え、前記制御手段は、停電からの電源復旧時には、照明器具をこの最終制御状態とする再現信号を生成することが好ましい。
【００１５】
この照明制御システムにおいて、前記タイマ部は、前記制御開始信号を送信してから停電発生までの期間を計測し、前記演算部は、前記記憶手段に記憶された照明器具の調光状態及び当該期間に基づいて各照明器具の最終制御状態を推測し、前記制御手段は、停電からの電源復旧時には、照明器具をこの最終制御状態とする再現信号を生成することが好ましい。
【００１６】
この照明制御システムにおいて、前記伝送アダプタは、前記中継手段を介して制御ユニットから受信した前記制御開始要求を照明器具に送信してから前記制御停止要求を照明器具に送信するまでの期間を計測する第２タイマ部と、前記メモリ部に記憶されている各照明器具の調光状態及び当該期間に基づいて、照明器具の最終制御状態を演算する第２演算部と、をさらに備え、前記制御手段は、停電からの電源復旧時には、前記伝送アダプタから当該最終制御状態を取得し、照明器具をこの最終制御状態とする再現信号を生成することが好ましい。
【００１７】
この照明制御システムにおいて、前記第２タイマ部は、前記制御開始信号を送信してから停電発生までの期間を計測し、前記第２演算部は、前記メモリ部に記憶された照明器具の調光状態及び当該期間に基づいて照明器具の最終制御状態を推測し前記メモリ部に記録することが好ましい。
【００１８】
この照明制御システムにおいて、前記制御ユニットの送受信手段は、照明器具の調光率の変化量を示す調光率変化制御要求を、所定間隔で繰り返して送信し、前記演算部は、前記記憶手段に記憶されている調光状態、前記変化量及び前記所定間隔で繰り返し送信された調光率変化制御要求の回数に基づいて、照明器具の最終制御状態を演算し、前記制御手段は、停電からの電源復旧時には、照明器具をこの最終制御状態とする再現信号を生成することが好ましい。
【００１９】
この照明制御システムにおいて、前記伝送アダプタの中継手段は、照明器具の調光率の変化量を示す調光率変化制御要求を、所定間隔で繰り返して照明器具に送信し、前記第２演算部は、前記メモリ部に記憶されている調光状態、前記変化量及び前記所定間隔で繰り返し送信された調光率変化制御要求の回数に基づいて、照明器具の最終制御状態を演算し、前記制御手段は、停電からの電源復旧時には、前記伝送アダプタから当該最終制御状態を取得して、照明器具をこの最終制御状態とする再現信号を生成することが好ましい。
【発明の効果】
【００２０】
本発明によれば、制御ユニットは、照明器具に制御指令信号の送信後に照明器具から返信される完了通知に基づいて各照明器具の最終的な制御状態を確認できる。このため、制御ユニットは、停電からの電源復旧時には、この最終制御状態に基づいた再現信号を生成して照明器具に送信し、より正確に停電前の照明器具の調光状態を再現できる。
【図面の簡単な説明】
【００２１】
【図１】本発明の実施の形態１に係る照明制御システムの全体構成図である。
【図２】同上照明制御システムに備わる制御ユニットの機能ブロック図である。
【図３】同上照明制御システム全体のデータの流れを示すシーケンス図である。
【図４】同上実施の形態１の変形例１に係る照明制御システム全体のデータの流れを示すシーケンス図である。
【図５】本発明の実施の形態２に係る照明制御システムに備わる制御ユニットの機能ブロック図である。
【図６】同上制御ユニットの動作手順を示すフローチャートである。
【図７】同上照明制御システム全体のデータの流れを示すシーケンス図である。
【図８】同上実施の形態２の変形例１に係る照明制御システム全体のデータの流れを示すシーケンス図である。
【図９】同上実施の形態２の変形例２に係る照明制御システム全体のデータの流れを示すシーケンス図である。
【図１０】本発明の実施の形態３に係る照明制御システムに備わる制御ユニットの動作手順を示すフローチャートである。
【図１１】同上照明制御システム全体のデータの流れを示すシーケンス図である。
【図１２】同上実施の形態３の変形例１に係る照明制御システム全体のデータの流れを示すシーケンス図である。
【図１３】従来の照明制御システム全体のデータの流れを示すシーケンス図である。
【発明を実施するための形態】
【００２２】
（実施の形態１）
本発明の実施の形態１に係る照明制御システムの構成を図１に示す。照明制御システム１は、制御ユニット２、伝送アダプタ３、照明器具４、明るさセンサ５、人感センサ６、壁スイッチ７、リモコン８、ブラウザＰＣ９、及びサーバ１０を備える。この照明制御システム１では、明るさセンサ５などを使って照度を測定しながら自動的に明るさを調整する照明器具４の調光制御や、照明器具４のオン／オフ状態の自動制御を行うことによって省エネルギー制御を実現する。
【００２３】
制御ユニット２は、明るさセンサ５などから受信した制御信号に基づいて、制御信号に含まれるアドレス情報から制御対象となる照明器具４を特定すると共に、照明器具４に対する制御状態（調光状態やオン／オフ状態）を特定する機能を有する。制御ユニット２は、明るさセンサ５などの各種センサや伝送アダプタ３と専用プロトコルに基づいて通信接続されて快適な操作監視速度を実現している。この制御ユニット２は、制御対象となる照明器具４に接続される伝送アダプタ３に対して、制御対象となる照明器具４のアドレス情報と、その制御状態とを含む制御指令信号を送信する制御部を有する。
【００２４】
伝送アダプタ３は、制御ユニット２からの伝送信号を自己に接続する制御対象となる照明器具４に中継する中継器（中継手段）としての機能を担う。リモコン８は、伝送アダプタ３と赤外線などを用いた無線通信を行い、照明器具４に対する操作や設定を行うための手元設定器である。なお、この伝送アダプタ３は通信の中継を行う役割となるため照明制御システム１の必須の構成要素ではない。
【００２５】
照明器具４は、蛍光灯や０〜１００％などの段階的な細かな調光が可能なＬＥＤ照明などである。照明器具４は、ＬＥＤ素子や調光回路部を有する専用のドライバＩＣを備え、デューティ比（オン時間とオフ時間の比）を変えるＰＷＭ（Pulse With Modulation）制御やＩＰｖ６対応ＩＭ（Instant Messenger）などを用いて高精度での調光機能を実現する。なお、各照明器具４には、固有アドレス（ＩＰアドレスなど）が割り振られ、一意に特定することが可能となる。制御ユニット２は、各照明器具４に付与された固有アドレスに基づいて、照明を細かく直接制御して、照明器具４毎にレイアウトフリーで点滅／調光単位を編成でき、照明制御システム１の高機能化・省エネルギー化を可能とする。また、照明器具４に組み込んだＩＣによってＯＮ／ＯＦＦ操作や調光出力値のデータなどをＬＡＮに接続されたブラウザＰＣ９の画面において読み出すことが可能となる。さらに、照明器具４に対する電源リレーが不要となり大幅な工事の削減を図ることができる。
【００２６】
明るさセンサ５は、検知された照度に基づいて照明器具４を制御するため、アドレス情報や調光レベルを含む制御信号を専用の伝送信号線を介して制御ユニット２に対して送信する。この明るさセンサ５は、調光の制御を開始する制御開始要求を送信してから制御停止要求を送信するまでの期間で照明器具４の調光率を制御する機能を有する。例えば、０．１ｓで１％調光率が変化するとされ、明るさセンサ５が照明器具４の調光率を２０％制御すると判断する場合、明るさセンサ５は、伝送ユニット２に制御開始要求を送信してから２秒後に制御停止要求を送信するように制御する。なお、制御開始要求に調光率の制御内容を付与して、この制御内容を検出した照明器具４で調光（自走）することで制御停止要求の送信を省くことも考え得る。
【００２７】
人感センサ６は、熱線センサが人体から放射される熱線を検出して検知エリア内の人の存否に応じて出力する人体検出信号を監視し、検知エリア内の人の動きが検出されたときに照明器具４を点灯させる監視データを制御ユニット２に送信する。また、熱線センサによって検知エリア内に人が検出されなくなってから所定の動作保持時間が経過した後に照明器具４を消灯する監視データを制御ユニット２に送信する。
【００２８】
壁スイッチ７は、照明器具４を制御するための制御指令を出力するための入力端末器としての機能を担っている。壁スイッチ７は、例えば室内などの任意の壁面に設置されており、照明器具４を利用するユーザによってプッシュ操作が可能な端末器である。壁スイッチ７の各スイッチＳＷには、照明器具４の点灯制御を行うため、アドレス情報として個別アドレスやグループアドレスが設定されている。壁スイッチ７は、スイッチＳＷのいずれかが操作されるのに応じて、そのスイッチＳＷに関連付けられているアドレス情報と、スイッチＳＷの操作状態とを制御信号として制御ユニット２に送信する。
【００２９】
なお、グループアドレスは、グループ制御の対象となる照明器具４のグループを特定するための情報であり、予め設定された個々のグループに付与された番号等がこれに該当する（例えば、「Ｇ１」など）。制御ユニット２は、個々のグループアドレス毎に、そのグループに割り当てられる照明器具４のアドレスを示したグループ情報をメモリ（記憶部）に保持している。従って、制御ユニット２は、明るさセンサ５や壁スイッチ７から調光制御の対象となるグループアドレスを取得した場合、メモリに記憶しているグループ情報を検索して、このグループアドレスに該当する複数の照明器具４のアドレスを特定することができる。
【００３０】
ブラウザＰＣ９は、通信線にイーサネット（登録商標）を用いて制御ユニット２に接続され、照明制御システム１を管理するための汎用ＰＣなどである。このブラウザＰＣ９には、専用のブラウザソフトウェアがインストールされ、サーバ１０と連携して、照明器具４が使用している電力量（省エネ管理）、照明器具４の故障、球切れなどの計測情報を取得して画面表示する。ユーザはブラウザＰＣ９の画面を閲覧して任意の場所から照明制御システム１全体を保全監視できる。サーバ１０は、イーサネット（登録商標）を用いて接続されブラウザＰＣ９に送受信された情報を蓄積する。
【００３１】
次に、照明制御システム１に含まれる制御ユニット２の機能構成に関して図２を参照して説明する。制御ユニット２は、記憶部２１、制御部２２、送受信部２３及び電源部２４を備える。
【００３２】
記憶部２１は、個々のグループアドレス毎に、そのグループに割り当てられる照明器具４のアドレス情報や、各照明器具４のアドレスと調光状態の関係を示すテーブル情報を保持する。制御部２２は、ＣＰＵを主構成要素として、制御対象となる照明器具４に接続される伝送アダプタ３に送信する照明器具４のアドレス情報と、その制御状態とを含む制御指令信号（制御開始要求及び制御停止要求）を生成する。送受信部２３は、イーサネット（登録商標）を用いたブラウザＰＣ９、専用通信線を用いた伝送アダプタ３や明るさセンサ５との間で信号の送受信を行う。電源部２４は、交流出力から各部の動作電源を供給する。
【００３３】
次に、本実施の形態１に係る照明制御システム１の動作に関して図３を参照して説明する。最初に、明るさセンサ５が、室内環境などにおける光量の変化を検知し、「制御開始要求」を制御ユニット２に送信する（Ｓ３１）。そして、制御ユニット２は、受信した制御開始要求に基づいて「ＬＥＤ表示指示」を明るさセンサ５に返信すると共に（Ｓ３２）、「制御開始要求」を各伝送アダプタ３に対し個別にユニキャスト送信する（Ｓ３３）。ここで、各照明器具４には上述のように固有アドレスが付与されているため、制御ユニット２は、各照明器具４に対して個別に制御信号を送信できる。
【００３４】
次に、伝送アダプタ３は、この制御開始要求を受信し、アドレス情報に対応する照明器具４毎に「制御開始要求」をユニキャスト送信し（Ｓ３４）、この制御開始要求を受信した照明器具４は、調光制御（段階的に０．１ｓで１％調光率上昇など）の自走を開始する。そして、各照明器具４（通信手段を有する。以下同じ）は、調光制御を開始したことを示す「制御開始完了通知」を、伝送アダプタ３を介して各制御ユニット２に返信する（Ｓ３５）。
【００３５】
その後、明るさセンサ５は、制御開始要求を送信してから所定期間経過したときに、制御ユニット２に「制御停止要求」を送信する（Ｓ３６）。制御ユニット２は、受信した制御停止要求に基づいて「ＬＥＤ表示指示」を明るさセンサ５に返信すると共に（Ｓ３７）、「制御停止要求」を各伝送アダプタ３に対し個別にユニキャスト送信する（Ｓ３８）。
【００３６】
次に、この制御停止要求を受信した伝送アダプタ３は、アドレス情報に基づいて各照明器具４に対して「制御停止要求」をユニキャスト送信する（Ｓ３９）。そして、この制御停止要求を受信した照明器具４は、調光制御を停止（例えば、制御開始要求を受信したから制御停止要求までの期間が２ｓの場合には、調光率を２０％上昇させて停止）する。また、各照明器具４は、「制御停止完了通知」を、伝送アダプタ３を介して制御ユニット２に返信する（Ｓ４０）。制御ユニット２は、この「完了通知」を受け取ることで、完了通知の状態を最終制御状態として把握することができる。
【００３７】
そして、停電発生し電源復旧した後において、制御ユニット２は、既に照明器具４から受信した「完了通知」に対応し、記憶部２１に保持する最終制御状態に基づいて、各照明器具４に再現信号を送信する（Ｓ４１）。その後、再現信号を受信した照明器具４は、この再現信号に基づいて調光制御を行う。なお、再現信号として、制御開始信号及び制御停止信号を、間隔を設けて送信することもできる。
【００３８】
以上のように、制御ユニット２からの制御情報を、各照明器具４にユニキャスト通信で伝送する場合において、双方向通信によって、制御ユニット２は、照明器具４から取得した「完了通知」に基づいて各照明器具４の正確な最終制御状態を記録・把握できる。このため、制御ユニット２は、停電が発生したのち電源復旧後において、この最終制御状態に基づいて実際に照明器具４において実施された真の調光状態を再現できる。
【００３９】
（第１の変形例）
本実施の形態１の第１の変形例について、図４を参照して説明する。なお、本変形例において、上記実施の形態１と同じ動作ステップについては同じ番号を付し、その詳細な説明は省略する。
【００４０】
本変形例に係る照明制御システム１では、制御開始要求（Ｓ３４）を受信した照明器具４は、「制御開始完了通知」を伝送アダプタ３にユニキャスト送信する（Ｓ４２）。また、制御停止要求を受信した照明器具４は、調光制御を停止すると「制御停止完了通知」を伝送アダプタ３にユニキャスト送信する（Ｓ４３）。伝送アダプタ３は、これらの完了通知を各照明器具４の最終制御状態として保持するメモリを有している。
【００４１】
そして、停電発生後の電源復電時において、制御ユニット２は、各伝送アダプタ３からメモリに保持された各照明器具４の最終制御状態を収集し（Ｓ４４）、この最終制御状態に基づいて各照明器具４に再現信号を送信し（Ｓ４５）、停電前の調光制御を実現する。
【００４２】
このため、本変形例に係る照明制御システム１においては、停電からの復旧時には、制御ユニット２は、伝送アダプタ３から収集するデータに基づいて確実に各照明器具４の最終制御状態を把握でき、かつ停電前の調光状態再現が可能となる。また、伝送アダプタ３と制御ユニット２との間の通信トラフィックの負荷が軽減され、パケット衝突の発生確率が下がり、信頼性の高い通信が行える。
【００４３】
（実施の形態２）
本発明の実施の形態２について、図５乃至図７を参照して説明する。なお、上記実施の形態１に係る照明制御システム１と同様の構成には同符号を付し、その詳細な説明は省略する（以下同じ）。
【００４４】
上記実施の形態１に係る照明制御システム１では、制御ユニット２から各照明器具４へ個別に通信（ユニキャスト）が発生するので、対象となる照明器具４が少ない場合には有効であるが、制御対象の照明器具４が多い時は応答性が悪くなる可能性がある。また、上記実施の形態１では照明器具４からフィードバック送信される完了通知を要する。しかし、本実施の形態２に係る照明制御システムでは、制御停止完了通知を受信できない場合でも、各照明器具４の最終的な制御状態を推測し、停電からの復電時には当該推測に基づいて各照明器具４の再現処理を行うものである。
【００４５】
本実施の形態２に係る照明制御システム１に含まれる制御ユニット２の機能構成に関して図５を参照して説明する。制御ユニット２は、記憶部２１、制御部２２、送受信部２３、電源部２４、演算部２５及びタイマ部２６を備える。タイマ部２６は、照明器具４又は伝送アダプタ３に制御開始信号を送信してから制御停止信号を送信するまでの期間を計測する。演算部２５は、この期間に基づいて各照明器具４の調光率の変化を推算し、記憶部２１に記憶されている各照明器具４の調光状態を更新する。
【００４６】
ここで、制御ユニット２の動作に関して図６を参照して説明する。最初に、制御ユニット２は、記憶部２１に各照明器具４のアドレスと調光率との関係を記憶する（Ｓ５１）。次に、制御ユニット２は、照明器具４のグループ調光を開始するか否か、すなわち、明るさセンサ５などから「制御開始要求」を受信したか否かを判断する（Ｓ５２）。そして、制御ユニット２は、グループ調光を開始する場合には（Ｓ５２でＹｅｓ）、「制御開始要求」をグループの対象となる伝送アダプタ３にマルチキャストしてグループ調光制御を実施すると共に、タイマ部２６における計時処理を開始する（Ｓ５３）。
【００４７】
その後、制御ユニット２は、グループ調光を停止するか否か、すなわち、明るさセンサ５から「制御停止要求」を受信したか否かを確認し（Ｓ５４）、受信した場合には、グループ調光を停止する（Ｓ５４でＹｅｓ）。次に、制御ユニット２のタイマ部２６は、タイマ計時を停止し（Ｓ５５）、演算部２５は、タイマ部２６において計測された制御開始から制御停止までに要した「計時時間」に基づいて照明器具４の調光率変化量を推算する（Ｓ５６）。また、制御部２２は、当該推算値を用いて記憶部２１に記憶されている照明器具４の調光率を更新する（Ｓ５７）。なお、制御ユニット２は、停電からの復旧時には、この更新された調光率に基づいた再現信号を照明器具４に送信する。
【００４８】
次に、本実施の形態２に係る照明制御システム１の全体動作に関して図７を参照して説明する。最初に、明るさセンサ５が、室内環境における光量の変化を検知し、「制御開始要求」を制御ユニット２に送信する（Ｓ３１）。そして、制御ユニット２は、受信した制御開始要求に基づいて「ＬＥＤ表示指示」を明るさセンサに返信すると共に（Ｓ３２）、「制御開始要求」を複数の伝送アダプタ３にマルチキャスト送信する（Ｓ６１）。この時、制御ユニット２は、タイマ部２６における計時を開始する。
【００４９】
次に、伝送アダプタ３は、この制御開始要求を受信し、アドレス情報に対応するグループ内の照明器具４に「制御開始要求」をマルチキャスト送信し（Ｓ６２）、この制御開始要求を受信した照明器具４は、調光制御の自走を開始する。その後、明るさセンサ５が制御ユニット２に「制御停止要求」を送信する（Ｓ３６）。次に、制御ユニット２は、受信した制御停止要求に基づいて「ＬＥＤ表示指示」を明るさセンサに返信すると共に（Ｓ３７）、「制御停止要求」をグループ内の伝送アダプタ３にマルチキャスト送信する（Ｓ６３）。この時、制御ユニット２は、タイマ部２６における計時を停止すると共に、演算部２５は「計時開始から計時停止までの計時期間」に基づいて各照明器具４の調光率を推算して記憶部２１に記録・更新する。
【００５０】
そして、制御ユニット２は、アドレス情報に基づいてグループ内の各照明器具４に「制御停止要求」をマルチキャスト送信し（Ｓ６４）、この制御停止要求を受信した照明器具４は、調光制御を停止する。そして、照明器具４から制御停止完了通知がフィードバック送信されることなく停電が発生する場合が考えられる。この場合、停電発生して電源復旧した後において、制御ユニット２は、演算部２５において演算され記憶部２１に保持された調光率に基づいた「再現信号」を各照明器具４に送信し（Ｓ６５）、この再現信号を受信した照明器具４は、自動で調光制御を行う。
【００５１】
ここで、制御ユニット２の演算部２５における調光率推算の具体例を説明する。例えば、照明器具４は、制御開始指令を受けてから０．１ｓで照度を１％ずつ段階的に上昇させる自走制御をするものとする。演算部２５は、記憶部２１における或るアドレスの照明器具４の調光率が５０％と記憶されており、タイマ部２６において２ｓの計時期間が計測された場合、調光率が２０％変更されたと推測して現在の調光率を７０％として記憶部２１に上書き保存する。
【００５２】
以上のように、本実施の形態２に係る照明制御システム１において、制御ユニット２は、タイマ部２６における計時と演算部２５における演算というマイコンの基本機能のみで、照明器具４の調光率のおおよその最終制御状態を推測できる。従って、制御ユニット２は、照明器具４から「完了通知」というフィードバックを受けない場合においても、停電からの電源復旧後に照明器具４の最終制御を推測して再現でき、かつグループ制御などで調光制御対象となる照明器具４が多い場合でも適用可能となる。
【００５３】
（第１の変形例）
本実施の形態２の第１の変形例について、図８を参照して説明する。本変形例では、伝送アダプタ３が各照明器具４の調光率を記憶するメモリ部、及び調光開始から調光停止までの期間を測定するタイマ部を備える（図示せず）。
【００５４】
以下、本変形例に係る照明制御システム１の動作に関して説明する。本変形例では、制御開始要求を照明器具４にマルチキャスト送信した伝送アダプタ３は、タイマ部において計時開始する（Ｓ６６）。また、制御停止要求を照明器具４にマルチキャスト送信した伝送アダプタ３は、タイマ部における計時を停止する（Ｓ６７）と共に、「計時開始から計時停止までの計時期間」に基づいて各照明器具４の調光率を推算してメモリに記録・更新する。そして、停電発生し電源復旧した後に、制御ユニット２は、伝送アダプタ３のメモリ部に保持される照明器具４の調光率の最終制御状態を収集し（Ｓ６８）、この最終制御状態に基づいた再現信号を照明器具４に送信し（Ｓ６９）、照明器具４は調光制御を行う。
【００５５】
以上のように、本変形例においては、伝送アダプタ３のメモリ部が各照明器具４の最終制御状態を保持するため、制御ユニット２は、停電からの電源復旧後に伝送アダプタ３から最終制御状態を取得して照明器具４の最終制御を推測して再現することができる。また、照明器具４に最も近い伝送アダプタ３での推測処理となるので、精度の高い調光率を求めることができ、かつグループで対象となる照明器具４が多い場合でも適用可能となる。
【００５６】
（第２の変形例）
本実施の形態２の第２の変形例について、図９を参照して説明する。本変形例２は、グループ調光制御中であって停止要求を送信する前にいきなり停電が発生する場合を想定する。この場合、制御ユニット２は、「制御開始要求」を伝送アダプタ３に送信した時（Ｓ９１）から停電発生時点までの「期間」を記憶部２１に記憶し、停電復旧後にこの期間に基づいて、各照明器具４の最終制御状態を推測する。
【００５７】
ここで、本変形例２における制御ユニット２の調光率推算の具体例を説明する。例えば、照明器具４は、制御開始指令を受けてから０．１ｓで照度を１％ずつ段階的に制御する。制御ユニット２は、所定アドレスの照明器具４の調光率を５０％、タイマ部２６における「制御開始要求を送信した時点から停電発生時点までの計時期間」が１ｓの時点で停電が発生したものとする。この場合、制御ユニット２は、停電からの復旧後に記憶部２１に記憶されている期間１ｓを取得して調光率が１０％変更されたと推測し、停電からの復旧後の調光率を６０％とした再現信号を照明器具４に送信する。従って、制御ユニット２は、グループ調光制御中であって、制御停止要求を送信する前に停電が発生した場合でも停電復旧後において推定された照明器具４の調光再現が可能となる。
【００５８】
（実施の形態３）
本発明の実施の形態３に係る照明制御システムについて、図１０及び図１１を参照して説明する。この実施の形態３の照明制御システムは、上述の実施の形態２と同様の構成を有する。最初に、制御ユニット２は、図１０に示すように、記憶部２１に各照明器具４の調光率ｄ（％）を記憶する（Ｓ１０１）。次に、制御ユニット２は、照明器具４のグループ調光を開始するか否か、すなわち、明るさセンサ５から「制御開始要求」を受信したか否かを判断する（Ｓ１０２）。そして、受信した場合には（Ｓ１０２でＹｅｓ）、制御ユニット２は、ループ処理を開始して（Ｓ１０３）、伝送アダプタ３に照明器具４の調光率の変化（ｎ％）を指示する調光率変化制御要求を短い時間間隔で繰り返して送信（Ｌ回）する（Ｓ１０４）。
【００５９】
そして、制御ユニット２は、明るさセンサ５から「制御停止要求」を受信したか否かを確認し、受信した場合には、グループ調光のループ処理を停止する（Ｓ１０５）。次に、制御ユニット２は、調光率変化量Δｄ＝ｎ（％）×Ｌ（回）を算出して（Ｓ１０６）、記憶部２１に記憶されている各照明器具４の調光率を新たな調光率ｄ´＝ｄ＋Δｄに更新する（Ｓ１０７）。
【００６０】
次に、本実施の形態３に係る照明制御システム１の動作に関して図１１を参照して説明する。明るさセンサ５からの「制御開始要求」を受信した制御ユニット２は、グループ調光制御の制御情報として、調光率の変化量を示す「調光率変化制御要求」を複数の伝送アダプタ３に短い時間間隔でマルチキャスト送信する（Ｓ１１１）。そして、伝送アダプタ３は、グループ内の複数の照明器具４に「調光率変化制御要求」をマルチキャストする（Ｓ１１２）。その後の停電発生からの復旧時には、制御ユニット２は、調光率変化量ｎ（％）及び送信済みの「調光率変化制御要求」の回数Ｌに基づいて更新された調光率ｄ´（％）に基づいて、各照明器具４の再現信号を送信する（Ｓ１１３）。例えば、制御ユニット２の演算部２５は、１％の調光率の変化量を示した調光率変化制御要求が０．１ｓ間隔で４回送信された時点で停電が発生した場合、調光率は４％変化したと推算できる。
【００６１】
このように、本実施の形態３では、照明器具４が調光制御のために自走する期間が短くなるので、制御ユニット２は、照明器具４の調光状態の推測を精度高く行うことができ、かつグループで対象となる照明器具４が多い場合でも適用可能となる。また、上記実施の形態２のように計時期間に基づいて調光率変化を推算する場合よりも、より正確に調光率の変化量を演算できる。
【００６２】
（第１の変形例）
本実施の形態３に係る照明制御システムの第１の変形例について、図１２を参照して説明する。本変形例では、制御開始要求を受信（Ｓ３３）した伝送アダプタ３が、短い時間間隔で繰り返して「調光率変化制御要求」の送出を行う（Ｓ１２１）。伝送アダプタ３は、上記実施の形態３の制御ユニット２と同様の方法で調光率の変化量を算出する。また、停電発生後の復電時において、制御ユニット２は、各伝送アダプタ３から各照明器具の「最終制御状態」を収集し（Ｓ１２２）、この最終制御状態に基づいて各照明器具４に対して再現信号を送信する（Ｓ１２３）。
【００６３】
このため、本変形例においては、伝送アダプタ３が各照明器具４の最終制御状態を記録しているので、照明器具４に最も近い位置での推測処理となるので、確度の高い値を求めることができる。また、グループでの制御となる照明器具４が多い場合でも適用可能となる。
【００６４】
なお、本発明は、上記実施の形態の構成に限られず、発明の趣旨を変更しない範囲で種々の変形が可能である。例えば、制御ユニット２に制御開始要求を送信するのは明るさセンサ５に限定されるものではない。
【符号の説明】
【００６５】
１  照明制御システム
２  制御ユニット
２１  記憶部
２２  制御部
２３  送受信部
２４  電源部
２５  演算部
２６  タイマ部
３  伝送アダプタ
４  照明器具
５  明るさセンサ（調光器）
６  人感センサ（調光器）
７  壁スイッチ（調光器）
８  リモコン
９  ブラウザＰＣ
１０  サーバ
【図１】
2013004499.tif 000003
【図２】
2013004499.tif 000004
【図３】
2013004499.tif 000005
【図４】
2013004499.tif 000006
【図５】
2013004499.tif 000007
【図６】
2013004499.tif 000008
【図７】
2013004499.tif 000009
【図８】
2013004499.tif 000010
【図９】
2013004499.tif 000011
【図１０】
2013004499.tif 000012
【図１１】
2013004499.tif 000013
【図１２】
2013004499.tif 000014
【図１３】
2013004499.tif 000015